(57)【要約】【課題】バンドとベルとの間の相対的な軸線方向の位置決めを確実にし、同時に、少なくとも接続によって影響を受ける部分においてバンドとベルの構造的な完全性を保持しつつ長い作動寿命を確実にすることに加えて、簡単で安価な構造の、バンドとベルとの間の連結構造を提供する。【解決手段】ディスクブレーキ用ディスク１は、ブレーキトルクを発生させるためにブレーキカリパスと協働するブレーキバンド２０と、ホィールハブに接続されるベル６０との二つの部品に形成され、ベル６０が、ベル６０の各座部６４内に収容されるバンド２０の複数の突起２４のための接線方向を規制する構造によってブレーキバンド２０に接続されている。バンド２０とベル６０との間の相対的な軸線方向の位置決めは、ベル２０に確りと固定されて突起２４を常にアバットメント部材８２方向へ付勢している連結手段８４によって維持され、アバットメント部材８２は、連結手段８４が固定されたベルの側と反対側に配置されてベル６０に確りと固定されている。
2005524031.tif 000002
【特許請求の範囲】
【請求項１】
回転軸線（ＸＸ）を有するディスクブレーキ用ディスク（１）であって、
前記ディスク（１）の前記回転軸線（ＸＸ）に向かって突出し且つ前側自由面（２４’）と反対側の接合面（２４”）とによって区画された少なくとも一つの突起（２４）を備え、カリパスと協働してブレーキトルクを発生させるためのブレーキバンド（２０）と、
前側接続面（６２’）と反対側の位置決め面（６２”）とにより区画された環状部（６２）を備えたベル（６０）と、
前記バンド（２０）の前記接合面（２４”）を支える少なくとも一つのアバットメント部材（８２）と、
前記バンド（２０）を軸線方向に常時付勢して前記バンド（２０）を軸線方向で前記ベル（６９）と接触した状態に維持させるための少なくとも一つの連結手段（８４）とを有し、
前記環状部（６２）が、前記ブレーキトルクを前記バンド（２０）から前記ベル（６０）へ伝達するために前記バンド（２０）の前記突起（２４）を収容する少なくとも一つの座部（６４）を備えたディスク（１）において、
前記連結手段（８４）が、前記ベル（６２）の前記前側接続面（６２’）と接して前記ベル（６０）と協働する固定部（８６）と、前記ブレーキバンド（２０）と協働し、前記ベル（６０）の前記座部（６４）内に収容された前記突起（２４）の前記自由な前側面（２４’）に作用して、前記バンド（２０）の前記突起（２４）の前記接合面（２４”）を前記ディスク（１）の前記アバットメント部材（８２）に常時接触させた状態に維持させるための作動部（８８）とを有していることを特徴とするディスクブレーキ用ディスク（１）。
【請求項２】
前記突起（２４）が第一の側面（２６）と第二の側面とによって周方向で区画され、それら第一の側面（２６）と第二の側面が、略平坦で、前記突起（２４）の中心放射軸線（ＲＲ）に対して平行になっている、請求項１に記載のディスクブレーキ用ディスク（１）。
【請求項３】
前記座部（６４）が、前記突起（２４）の前記第一の側面（２６）と第二の側面と係合される第一の側面（６６）と第二の側面（６８）とによって周回りで区画されている、請求項２に記載のディスクブレーキ用ディスク（１）。
【請求項４】
前記突起（２４）が周回りで隙間を置いて前記ベル（６０）の前記座部（６４）内に収容されている、請求項１に記載のディスクブレーキ用ディスク（１）。
【請求項５】
前記連結手段（８４）の前記固定部（８６）が、前記ベル（６０）に確りと固定されている、請求項１〜４のいずれか一項に記載のディスクブレーキ用ディスク（１）。
【請求項６】
前記連結手段（８４）の前記固定部（８６）が、前記座部（６４）が設けられた前記ベル（６０）の前記環状部（６２）の前側接続面（６２’）に、接続手段（８４’）によって確りと固定されている、請求項５に記載のディスクブレーキ用ディスク（１）。
【請求項７】
前記連結手段（８４）の前記作動部（８８）が、前記ディスク（１）の前記バンド（２０）を軸線方向へ常時付勢している、請求項５又は６に記載のディスクブレーキ用ディスク（１）。
【請求項８】
前記連結手段（８４）の前記作動部（８８）が、前記ディスク（１）の前記バンド（２０）を軸線方向へ常時付勢して、前記座部（６４）内に収容されている前記突起（２４）の前記自由面（２４’）に作用している、請求項７に記載のディスクブレーキ用ディスク（１）。
【請求項９】
前記アバットメント部材（８２）がプレートを含んでいる、請求項１〜８のいずれか一項に記載のディスクブレーキ用ディスク（１）。
【請求項１０】
前記プレート（８２）が、前記ベル（６０）の前記環状部（６２）の前記位置決め面（６２”）の部位において前記ベル（６０）に確りと固定されている、請求項９に記載のディスクブレーキ用ディスク（１）。
【請求項１１】
前記プレート（８２）が、前記座部（６４）に対し橋として配置されて、前記座部（６４）内に収容された前記突起（２４）を軸線方向で支えるアバットメントとして機能する位置決め壁を構成している、請求項１０に記載のディスクブレーキ用ディスク（１）。
【請求項１２】
前記連結手段（８４）の前記作動部（８８）が、前記突起（２４）を前記プレート（８２）方向へ付勢し、前記固定部（８６）が前記ベル（６０）を反対方向へ引っ張っている、請求項１〜１１のいずれか一項に記載のディスクブレーキ用ディスク（１）。
【請求項１３】
前記連結手段（８４）の前記作動部（８８）が、可撓性部（９０）によって前記固定部（８６）に接続されている、請求項１〜１２のいずれか一項に記載のディスクブレーキ用ディスク（１）。
【請求項１４】
前記連結手段（８４）の前記作動部（８８）が、前記固定部（８６）に接続されて、前記固定部（８６）に向かって折れ曲がって少なくとも一つの湾曲部（９６）を構成している、請求項１〜１３のいずれか一項に記載のディスクブレーキ用ディスク（１）。
【請求項１５】
前記固定部（８６）が窓（９２）を有している、請求項１〜１４のいずれか一項に記載のディスクブレーキ用ディスク（１）。
【請求項１６】
前記ディスク（１）の取り付け状態において、前記連結手段（８４）の前記固定部（８６）が、前記窓（９２）が前記座部（６４）に面するように、前記座部（６４）をまたがって配置されている、請求項１５に記載のディスクブレーキ用ディスク（１）。
【請求項１７】
前記連結手段（８４）が変形されていない状態において、前記作動部（８８）が、前記固定部（８６）から延び、前記固定部（８６）に向かって折れ曲がり且つ前記窓（９２）の部分において前記固定部（８６）を貫通して延びている、請求項１５に記載のディスクブレーキ用ディスク（１）。
【請求項１８】
前記作動部（８６）が、先端部に接触突部（１０５）を有している、請求項１〜１７のいずれか一項に記載のディスクブレーキ用ディスク（１）。
【請求項１９】
前記固定部（８６）が、前記固定部（８６）を前記ベル（６０）に接続するための接続耳（９４’，９４”）を有している、請求項１〜１８のいずれか一項に記載のディスクブレーキ用ディスク（１）。
【請求項２０】
前記バンド（２０）が、自己通気性ディスク用のバンドである、請求項１〜１９のいずれか一項に記載のディスクブレーキ用ディスク。
【請求項２１】
請求項１〜２０のいずれか一項に記載のディスクを有するディスクブレーキ。
【発明の詳細な説明】
【技術分野】
【０００１】
本発明は、ベルと連結されるブレーキバンドを有するタイプのディスクブレーキ用ディスクに関するものである。
【０００２】
多くのディスクブレーキ用ディスクは、現在、ブレーキトルクを発生させるためにディスクブレーキ・カリパスが作用するブレーキバンドと、ホィールハブに固定されてブレーキバンドと接続されるベルとの二部品の製造のために調整されている。
【０００３】
バンドとベルとの接続は、バンドからベルへのブレーキトルクの伝達を実現するものであるため、極めて重要である。
【０００４】
バンドとベルとの間の接線方向での規制（ｔａｎｇｅｎｔｉａｌ  ｒｅｓｔｒａｉｎｔ）は、極めて簡単な構造で、従って、製造コストが安い、バンドとベルとの間の接線方向規制システムを確保するために、ベルの各座部（ｓｅａｔ）に嵌め込まれる突起を備えたブレーキバンドを有するシステムによって達成されている。
【発明の開示】
【発明が解決しようとする課題】
【０００５】
然しながら、それらのシステムは、バンドとベルとの間の相対的な軸線方向の位置決めを実現するための適切な構造を提供するものでなければならない。
【０００６】
バンドとベルとの間の相対的な軸線方向の位置決めを確実にし、同時に、少なくとも接続によって影響を受ける部分においてバンドとベルの構造的な完全性を保持しつつ長い作動寿命を確実にすることに加えて、簡単で安価な構造の、バンドとベルとの連結システムを特に提供するが必要とされている。
【０００７】
本発明の根底をなす課題は、上述した必要性を満足させ、同時に、従来技術に関連して上述した問題点を解消するような構造的且つ機能的な特徴を有するディスクブレーキ用ディスクを創作することにある。
【０００８】
この課題は、請求項１に記載のディスクブレーキ用ディスクによって解決される。本発明の更なる具体例は、従属請求項に記載されている。
【０００９】
本発明に係るディスクブレーキ用ディスクの更なる特徴及び利点については、好適で非限定的な実施形態に関する後述の説明を参照することにより、明確になるであろう。
【発明を実施するための最良の形態】
【００１０】
添付図面を参照すると、参照符号１で示したディスクブレーキ用ディスクは、主にオートバイに用いられるものである。
【００１１】
ディスク１は、中央軸線ＸＸを中心として対称になっていて且つ軸方向へ延びている。このディスク１は、ブレーキバンド２０と、構造上ブレーキバンドとは別体のものとして形成されていて、ブレーキバンド２０と連結させることができるベル６０とを有している。
【００１２】
ブレーキバンド２０は、適切な連結手段によってベル６０に取り外し自在に接続することができる。更に、ベル６０は、ディスクブレーキの取付け状態において、ベルをホィールハブに確りと且つ取り外し自在に固定することのできる適切な固定手段によってホィールハブに接続するものとして構成されている。
【００１３】
ブレーキバンド２０は、前側ブレーキ面２２’と反対側ブレーキ面２２”とにより区画されたリング２２を有し、これら前側ブレーキ面２２’と反対側ブレーキ面２２”は略平坦でディスク１の回転軸線ＸＸと交差する方向へ延びている。
【００１４】
前側ブレーキ面２２’と反対側のブレーキ面２２”は、ブレーキトルクを発生させるためにディスクブレーキ・カリパス（ｄｉｓｋ−ｂｒａｋｅ  ｃａｌｉｐｅｒ）（図示せず）と協働し、車輪にブレーキをかけるために、発生したブレーキトルクは、連結手段によってブレーキバンド２０からベル６０へ伝達され、適切な固定手段によってベル６０からホィールハブへ伝えられる。
【００１５】
また、ブレーキバンド２０は、バンドのリング２２からディスク１の回転軸線ＸＸ方向へ突出した少なくとも一つの突起２４を有している。
【００１６】
好ましい実施形態においては、ブレーキバンドは、好ましくは５〜１２個の範囲内で必要に応じて個数を変えてもよい複数の突起２４を有し、これら突起は、好ましくは、軸線ＸＸを取り囲むように一定の間隔を置いてリング２２に配列されている。
【００１７】
突起２４は自由な前側面２４’と反対側の接合面２４”とにより区画されていて、これら前側面２４’と接合面２４”は略平坦でディスク１の回転軸ＸＸと交差する方向へ延びている。
【００１８】
突起２４は、好ましくは、第一の側面２６と周回りで第一の側面と反対側に位置する第二の側面とにより区画されている。
【００１９】
ブレーキバンドの好ましい実施形態においては、突起２４の第一の側面及び第二の側面は、略平坦で、互いに平行になっているのが好ましい。
【００２０】
ブレーキバンドのその実施形態においては、突起の両側面は、平らで、突起２４の中央放射軸線によって規定される突起の半径ＲＲと平行になっている。
【００２１】
ディスク１のベル６０は、ベル６０をバンド２０に連結するための環状周囲部６２を有している。
【００２２】
環状部６２は、前側接続面６２’と反対側の位置決め面６２”とにより区画され、これら面は、略平らで、ディスクの回転軸線ＸＸと交差する方向に延びている。
【００２３】
ベル６０の環状部６２は、ブレーキトルクをブレーキバンドからベルへ伝えるためのバンド２０の突起２４を収容するのに相応しい少なくとも一つの座部（ｓｅａｔ）６４を有している。
【００２４】
ベル６０の座部６２は、第一の側面６６と第二の側面６８とにより区画され、これら側面は、夫々、バンド２０の突起２４の第一側面２６と第二の側面とに都合よく係合するのに相応しいように形成されている。
【００２５】
また、ディスク１は、ブレーキバンド２０の接合面２４”のアバットメントとして相応しい少なくとも一つのアバットメント部材（ａｂｕｔｍｅｎｔ  ｅｌｅｍｅｎｔ）を有している。
【００２６】
好ましい実施形態においては、ディスク１のアバットメント部材はプレート８２により構成されていて、このプレート８２は、好ましくはリベット，ピン，接着剤，溶接等のような接続手段８４’によりディスク１のベル６０に確りと固定されている。
【００２７】
アバットメントの好ましい実施形態においては、プレート８２は、ベル６０の環状部６２の位置決め面６２”の部位でベル２０に確りと固定されている。
【００２８】
プレート８２は、各座部６４内に収容されたバンド２０の各突起２４を軸線方向で支えるアバットメントを構成するのに好適な位置決め壁を構成するようにベルの各座部６４の第一の側面６６と第二の側面６８との間に掛け渡す「橋」として配置するのが好ましい。
【００２９】
また、ディスク１は、バンド２０とベル６０と協働してバンドとベルトの連結状態を維持させるための連結手段８４を有している。
【００３０】
連結手段８４は、固定部８６と作動部８８とを有している。
【００３１】
固定部８６はベルと協働してベルの環状部６２の前側接合面６２’を押圧し、作動部８８はブレーキバンド２０と協働してバンドの突起２４の前側自由面２４’に作用する。
【００３２】
好ましい実施形態においては、固定部８６と作動部８８は、可撓性部９０によって互いに接続された単一の部品として構成されている。
【００３３】
好ましくは、固定部８６は、ほぼプレート状に形成され、各座部６４が設けられたベル６０の環状部６２の部分に配置するのに相応しいものとして構成されている。
【００３４】
また、固定部８６は窓９２を有し、この窓９２は、好ましくは正方形或いは長方形に形成され、固定部８６の略中央位置に配置されている。
【００３５】
更に、固定部８６は接続耳９４’，９４”を有し、これら接続耳は、好ましくは窓部９２の両側に配置されている。その接続耳は、好ましくは夫々接続穴９６’，９６”を有している。
【００３６】
作動部８８は可撓性部９０を介して固定部８６に接続されて、固定部８６から延びている。可撓性部９０は、凹面側が固定部８６と向き合う湾曲部９６を構成するように形成されている。
【００３７】
換言すれば、作動部８８は、固定部８６に接続され、固定部８６から延びて、更に固定部８６の方向に向かって折れ曲がり、固定部と可撓性部との間に湾曲部９６が構成されている。
【００３８】
作動部８８は、好ましくはプレート状に形成されて、可撓性部９０から突出している。
【００３９】
連結手段８４が変形されていない状態、即ち、連結手段が取り付けられる前の状態においては、作動部８８は可撓性部９０から突出して、固定部８６に設けられた窓部９２を貫通して延びている（図３ａ及び図３ｂ参照）。
【００４０】
換言すれば、変形されていない状態においては、連結手段８４の作動部８８は、固定部８６に設けられた窓９２を貫通して延びるように連結手段の固定部８６を横切って位置している。
【００４１】
好ましい実施形態においては、連結手段８４の作動部８８は、都合のいいことに、作動部の長さ方向に沿って好ましくは寸法が変化した横断面積を有している。換言すると、可撓性部９０と接続されている部位の作動部の接続横断面９８は、作動部の先端部の横断面１００よりは幅広になっている。
【００４２】
上述したように横断面積が変化した作動部８８は、自由面１０２’と、連結手段の湾曲部９６に面した内側面１０２”とにより区画された略台形状に形成されている。
【００４３】
また、連結手段８４の作動部８８は、その先端において作動部８８より突出して広幅になっている湾曲側面を備えた接触突部１０６を有している。
【００４４】
ディスク１を取り付けた状態においては、ブレーキバンド２０とベル６０との間に、ブレーキトルクをブレーキバンド２０からベル６０へ伝達するのに相応しい接線連結（ｔａｎｇｅｎｔｉａｌ  ｃｏｕｐｌｉｎｇ）と、バンドとベルトとの間の安定した相対的な軸線方向の位置決めを確実にするのに相応しい軸線方向連結（ａｘｉａｌ  ｃｏｕｐｌｉｎｇ）とを構成するようにブレーキバンド２０とベル６０は接続されている。
【００４５】
特に、ブレーキバンド２０の各突起２４は、突起２４の第一の側面２６とその第一の側面２６と反対側の第二の側面とが対応の座部６４の第一の側面６６と第二の側面６８とに夫々対向するようにその対応の座部６４内に収容されている。
【００４６】
更に、突起２４と座部６４は、突起の第一の側面２６と座部の第一の側面６６との間及び突起の第二の側面と座部の第二の側面６８との間に適切な隙間ができるように連結されている。
【００４７】
ベル６０の位置決め面６２”に確りと固定され且つ各座部６４に対して「橋」として接続配置された各プレート８２は、座部内に収容された突起２４のアバットメントを構成している。
【００４８】
特に、バンド２０は、突起２４の接合面２４”がプレート８２と向き合って位置するように、ベル６０に連結されている。こうして、突起２４は、接合面２４”がプレート８２に支えられた状態で、プレート８２と軸線方向で接触している。
【００４９】
各連結部材８４は、その連結部材８４の固定部８６を各座部６４が形成された部位の所でベルの環状部６２に接続することによって、ベル６０に確りと固定されている。
【００５０】
換言すると、連結部材８４は、連結部材の窓９２が座部の方向へ向くようにして固定部８６の接続耳９４’，９４”を座部６４にまたがらせて固定することによりベル６０に確りと固定されている。こうして、連結部材の作動部８８は、座部６４内に収容された突起２４の自由な前側面２４’の方向へ延びた状態となる。
【００５１】
連結手段８４が変形していない状態においては、固定部８６から突出した作動部８８は、可撓性部９０によって固定部８６の方向へ折れ曲がり、窓９２が形成されている固定部８６の部位を貫通して延びている。
【００５２】
ベル６０に確りと固定された連結手段８４は、座部６４内に収容された突起２４と相互に作用し合って変形された状態になる。
【００５３】
変形された状態においては、突起２４との相互作用によって接触突部１０６が窓９２の方向へ付勢された状態で作動部８８は曲げられている。
【００５４】
この状態では、作動部８８の跳ね返り（ｓｐｒｉｎｇ−ｂａｃｋ）により、突起２４が、ベルに確りと固定されたプレート８２に対して押し付けられ、それにより、バンド２０のベル６０に対する軸線方向での接続状態が維持され、バンドとベルと間の軸線方向での相対的な位置決めを可能にする。
【００５５】
特に、変形された状態においては、連結手段８４の作動部の接触突部１０６が突起２４の自由面２４’に作用し、接触突部１０６は連結手段の作動部８８及び可撓性部９０の折れ曲がりにより発生する弾発力を受ける。
【００５６】
換言すると、変形した状態においては、可撓性部９０の変形によって作動部８８の折れ曲がりが増し、それ故、変形されない状態からかなり偏位しても弾発力によって作動部は突起２４に作用することが可能となる。
【００５７】
取り付け状態においては、作動部８８が変形されていない状態からかなり偏位して弾発力が増大して弾発力が強くなっても、突起に対する連結手段の作用は、直線状の弾性力として発揮される。
【００５８】
ディスクの使用中に軸線方向へのわずかな移動があった場合或いは大きな加工誤差（ｗｏｒｋｉｎｇ  ｔｏｌｅｒａｎｃｅ）により突起又は座部の軸線方向の厚さにかなりのバラつきがあった場合に、突起の部分に夫々配置された複数の連結手段によって弾発力が発生させられても、互いに略等しいそれらの弾発力によってブレーキバンドは接合状態に維持される。
【００５９】
バンド２０がベル６０に取り付けられて、プレート８２と連結手段８４とによって構成された構造によって軸線方向への移動が規制された状態においては、連結手段８４の接触突部１０６と突起２４の自由面２４’との間に加えて、突起２４の接合面２４”とプレート８２の板面との間にも摩擦力が発生する。
【００６０】
換言すれば、連結手段８４によって突起２４に及ぼされる軸方向力によって、連結手段８４の接触突部１０６と突起２４の自由面２４’との間及び突起２４の接合面２４”とプレート８２の板面との間の強制的な接触が達成される。
【００６１】
この強制的な接触によって、摩擦力が発生させられる。
【００６２】
ブレーキをかけている最中に、バンド２０に発生するブレーキトルクは、バンド２０の各突起２４とベルの各座部との間の連結構造とベルとによって、ホィールハブへ伝達される。
【００６３】
特に、ブレーキをかけている最中に、（移動の方向に従って選択的に）突起２４の第一の側面２６又は第二の側面を座部６４の第一の側面６６又は第二の側面６８に向かって移動させるように、ブレーキトルクがバンド２０に作用して、ベル６０にブレーキ動作を生じさせる。
【００６４】
突起２４の第一の側面２６又は第二の側面と座部６４の第一の側面６６又は第二の側面６８との接続は、突起２４の両側面の略全体に亘って達成され、それにより大きな接触面を確保することができる。
【００６５】
ベルへのブレーキトルクの伝達は、面２４’,２４”に挟まれた突起２４の全幅を利用することに基づく良好な構造的強度を備えた極めてコンパクトな構造によって各座部６４内に収容された各突起２４によって実現される。
【００６６】
バンド２０の突起２４と連結手段８４との間に加えてバンド２４の突起２４とプレート８２との間にも発生する摩擦力によって、突起２４が座部６４の第一の側面６６又は第二の側面６８に対して押し付けられて、各座部における突起との隙間によってもたらされる動きが阻止される。
【００６７】
要約すると、摩擦力は、バンド２０をベルとの関係で周回りの一定位置に維持させるよう機能して、各座部における突起との隙間によって許容される動きによってもたらされる動作中のディスクの雑音を防止することができる。
【００６８】
極めて特異なことに、本発明によるディスクブレーキ用ディスクは、ディスクのバンドとベルとを連結する連結構造を有し、その連結構造が、バンドとベルとの間の相対的な軸線方向の位置決めを確実にし、同時に構成が簡単で安価なものであるばかりでなく、少なくとも連結によって影響を受ける部分においてバンドとベルとの構造的な完全性を確実なものにすることができる。
【００６９】
バンドとベルとの軸線方向の相対的位置決め構造は、実際に都合よくディスクと結合させることができ、そのために、バンドに設けられた突起と突起を収容するベルの座部との連結によって、バンドとベルとの間の接線方向での規制を達成することができる。
【００７０】
好都合なことには、バンドとベルとの間でのブレーキトルクの伝達のために突起の周方向の全幅と座部の周方向の全幅とを利用することにより、高い構造的強度をもった接線方向での規制を可能にする。実際に、突起は、構造上磨耗することがなく、ブレーキトルクの伝達に完全に係わり合いをもつものであることが明らかである。
【００７１】
更に、バンドとベルとの軸線方向の相対的位置決め構造は、連結手段を接続するためにバンド又はベルに対して施される複雑な機械的加工を避けて、ディスクへの接続を可能にする。
【００７２】
それ故、軸線方向の相対的位置決め構造は、高張力鋼又は高硬度鋼或いは機械加工が難しい公知の複合材にて作られたブレーキバンドであっても、安価で技術的に便利な実施形態の具体化を可能にする。
【００７３】
本発明の別の有益な特徴によれば、本発明による軸線方向の位置決め構造は、接線方向での規制を確保する突起と座部との結合を妨げることがない。
【００７４】
換言すれば、この構造は、突起の両側面又は座部の両側面と接触していない部材を備え、それ故、使用中に、それらの部材が突起の両側面又は座部の両側面に対して作用することによりそれらの面に切断，磨耗等を発生させることを防止する。
【００７５】
本発明の更に別の有益な特徴によれば、本発明による軸線方向の位置決め構造は、バンドとベルトの間の相対的な角運動を制限して、ディスクの雑音を除去又は少なくとも規制する。
【００７６】
換言すれば、連結手段を突起に作用させて、ベルに確りと固定されたアバットメントに対して突起を押し付ける軸方向力によって、ベルに対するバンドの角運動を防止する摩擦力を発生させて、ディスクの雑音を除去することができる。
【００７７】
取り付け時に各突起は隙間をもって各座部内に収容され、それ故、ディスクを初めに使用した時に、突起の両側は、座部内で座部と接線接触し、連結手段と突起との間に発生する摩擦力によって、その位置に維持されたままとなることは事実上明らかである。
【００７８】
更に、この有益な特徴によれば、突起とアバットメント部材との間に加えて、突起と連結手段との間にも生じる摩擦力によって、何らかの振動を抑えることができる。
【００７９】
更に、有益なことには、バンドとベルとの間の軸線方向位置決め構造は、ブレーキアクションによる加熱によってブレーキバンドが放射方向へ膨張するのを妨げることがない。
【００８０】
更に有益な特徴によれば、本発明による相対的な軸線方向位置決め構造によって、突起の軸方向の厚さとベルの環状部の軸方向の厚さについてかなり大きな加工誤差を設定することができる。
【００８１】
換言すれば、連結手段の作動部を変形していない状態からかなり偏位した状態に維持させるところの、突起に作用する作動部の直線状の弾発アクションによって、突起の大きな加工誤差とベルの環状部の大きな加工誤差を埋めることができる。
【００８２】
勿論、予期しない特別な条件を満足させるために、当業者は、上述したディスクブレーキ用ディスクに種々の修正及び変更を加えることができる。
【００８３】
例えば、本発明に係るディスクの一例においては、既述した軸線方向位置決め構造を全ての突起と全てのベルとの接続に用いることができる。
【００８４】
本発明に係るディスクブレーキ用ディスクの別の変形例によれば、既述した軸線方向位置決め構造は、複数の突起とベルとの接続のうちの何れかを軸線方向で規制しないままにするように、一つおきに、突起とベルトとの接続に適用される。
【００８５】
既述したディスクブレーキ用ディスクに対して当業者によって加えられる更なる変形例及び修正例は、特許請求の範囲によって限定される本発明の保護範囲内に含まれるものと考えられる。
【図面の簡単な説明】
【００８６】
【図１】部品が外された状態の、バンドとベルとバンドとベルとを連結するための手段とを有するディスクの斜視図である。
【図２】組み立てられた状態の図１に示したディスクの斜視図である。
【図３ａ】変形されていない状態、即ち、組み立て前の図１に示した連結手段を側方から見た斜視図である。
【図３ｂ】図３ａに図示した連結手段を上方から見た斜視図である。
【図４】図２に示したディスクの平面図である。
【図５】図４に示したA線に沿った部分が断面で示されているディスクの拡大図である。
【符号の説明】
【００８７】
１              ディスク
２０            ブレーキバンド
２２            バンドのリング
２４            突起
２４’          突起の自由な前側面
２４”          突起の反対側の接合面
６０            ベル
６２            ベルの環状部
６２’          環状部の前側接続面
６２”          環状部の反対側の位置決め面
６４            座部
８２            アバットメント部材
８４            連結手段
８６            連結手段の固定部
８８            連結手段の作動部
【図１】
2005524031.tif 000003
【図２】
2005524031.tif 000004
【図３ａ】
2005524031.tif 000005
【図３ｂ】
2005524031.tif 000006
【図４】
2005524031.tif 000007
【図５】
2005524031.tif 000008
【国際調査報告】
2005524031.tif 000009
2005524031.tif 000010